(57)【要約】      （修正有）【課題】アウトソールの軽量性及び耐摩耗性を両立可能なシューズを提供する。【解決手段】アウトソール６を備えるシューズにおいて、アウトソール６は、第一部材７と、第二部材８と、を含み、第一部材７は、第二部材８よりも耐摩耗性が高く、第二部材８は、第一部材７よりも軽量であり、アウトソール６の接地面に、第一部材７が配置され、アウトソール６の全周に、第二部材８が配置される。【選択図】図５
0003229046.tif 000002
【実用新案登録請求の範囲】
【請求項１】
アウトソール（６）を備えるシューズ（１）において、
前記アウトソール（６）は、第一部材（７）と、第二部材（８）とを含み、
前記第一部材（７）は、前記第二部材（８）よりも耐摩耗性が高く、
前記第二部材（８）は、前記第一部材（７）よりも軽量であり、
前記アウトソール（６）の接地面に前記第一部材（７）が配置され、
前記アウトソール（６）の全周に前記第二部材（８）が配置される
ことを特徴とするシューズ（１）。
【請求項２】
前記第一部材（７）は、ラバーである
請求項１に記載のシューズ（１）。
【請求項３】
前記第二部材（８）は、ＥＶＡである
請求項１又は２に記載のシューズ（１）。
【請求項４】
前記第一部材（７）と前記第二部材（８）とは、互いに嵌め合わされることにより連結される
請求項１〜３のいずれか１項に記載のシューズ（１）。
【請求項５】
前記アウトソール（６）は、
爪先部を含む前部（６１）と、
踵部を含み、前記前部（６１）と段部を介して接続される後部（６３）とを有し、
前記前部（６１）の外周部には、前記第二部材（８）が配置され、
前記前部（６１）の底面には、前記第二部材（８）に囲まれた内側部に前記第一部材（７）が配置され、
前記第一部材（７）は、前記第二部材（８）よりも突出することにより、前記接地面を構成する
請求項１〜４のいずれか１項に記載のシューズ（１）。
【請求項６】
前記後部（６３）の外周部は、上部に前記第二部材（８）が配置され、下部に前記第一部材（７）が配置される二層構造であり、
前記後部（６３）の底面の全体に前記第一部材（７）が配置される
請求項５に記載のシューズ（１）。
【請求項７】
前記後部（６３）の外周部には、前記第二部材（８）が配置され、
前記後部（６３）の底面には、前記第二部材（８）に囲まれた内側部に前記第一部材（７）が配置され、
前記第一部材（７）は、前記第二部材（８）よりも突出することにより、前記接地面を構成する
請求項５に記載のシューズ（１）。
【考案の詳細な説明】
【技術分野】
【０００１】
本考案は、シューズに関する。
【背景技術】
【０００２】
一般的に、シューズは、アッパー、インソール、ミッドソール、アウトソール等から構成されている。アウトソールは、地面に直接触れる部材であるため、摩耗が生じやすい。したがって、従来から、アウトソールの耐摩耗性の向上が望まれていた。また、アウトソールの重さはシューズ全体の重さに影響するので、アウトソールの軽量性も重要である。
【０００３】
例えば、特許文献１に記載の靴底は、アウトソールの上方にミッドソールが接合されてなる。ミッドソールは、軽量性かつ屈曲性を有するＥＶＡ（エチレン酢酸ビニル共重合体）の発泡体で形成され、アウトソールは、滑りにくく耐摩耗性に優れるサーモプラスチックゴム（ＴＰＲ）で形成され、ミッドソールとアウトソールとが接着剤により接着されている。
【０００４】
特許文献２に記載の靴底は、ＥＶＡ材からなるミッドソールと、ゴム材からなるアウトソールと、がプレスで一体化された二層構造を有する。
【先行技術文献】
【特許文献】
【０００５】
【特許文献１】実用新案登録第３１５２４６２号公報
【特許文献２】特開２００１−５７９０１号公報
【考案の概要】
【考案が解決しようとする課題】
【０００６】
特許文献１及び２に記載の靴底においては、アウトソールがゴム材によって形成されており、耐摩耗性は有するものの、軽量性が不十分であった。
【０００７】
本考案は上記事情に鑑みてなされたものであり、アウトソールの軽量性及び耐摩耗性を両立可能なシューズを提供することを目的とする。
【課題を解決するための手段】
【０００８】
本考案の上記目的は、下記の構成により達成される。
アウトソール（６）を備えるシューズ（１）において、
前記アウトソール（６）は、第一部材（７）と、第二部材（８）と、を含み、
前記第一部材（７）は、前記第二部材（８）よりも耐摩耗性が高く、
前記第二部材（８）は、前記第一部材（７）よりも軽量であり、
前記アウトソール（６）の接地面に、前記第一部材（７）が配置され、
前記アウトソール（６）の全周に、前記第二部材（８）が配置される
ことを特徴とするシューズ（１）。
【考案の効果】
【０００９】
本考案によれば、アウトソールの軽量性及び耐摩耗性を両立可能なシューズを提供できる。
【図面の簡単な説明】
【００１０】
【図１】シューズの斜視図である。
【図２】図２（ａ）〜（ｃ）は、下方から見た第一部材及び第二部材の底面図であり、図２（ａ）には、第一部材及び第二部材が連結された状態が示され、図２（ｂ）には、第一部材の底面が示され、図２（ｃ）には、第二部材の底面が示される。
【図３】図３（ａ）〜（ｃ）は、上方から見た第一部材及び第二部材の上面図であり、図３（ａ）には、第一部材及び第二部材が連結された状態が示され、図３（ｂ）には、第一部材の上面が示され、図３（ｃ）には、第二部材の上面が示される。
【図４】アウトソールの側面図である。
【図５】下方から見たアウトソールの斜視図である。
【図６】上方から見たアウトソールの斜視図である。
【図７】図７（ａ）〜（ｃ）は、下方から見た第一部材及び第二部材の底面図であり、図７（ａ）には、第一部材及び第二部材が連結された状態が示され、図７（ｂ）には、第一部材の底面が示され、図７（ｃ）には、第二部材の底面が示される。
【図８】図８（ａ）〜（ｃ）は、上方から見た第一部材及び第二部材の上面図であり、図８（ａ）には、第一部材及び第二部材が連結された状態が示され、図８（ｂ）には、第一部材の上面が示され、図８（ｃ）には、第二部材の上面が示される。
【図９】アウトソールの側面図である。
【考案を実施するための形態】
【００１１】
以下、本考案の実施形態に係るシューズについて、図面を用いて説明する。以下に説明する構成は、本考案の実施形態としての一例であり、本考案はこれに限定されず、本考案の範囲内で変形が可能である。また、以下の図では、特に説明しない限り、左足用の靴を示すが、本明細書の説明は、右足用の靴にも同様に適用できる。
【００１２】
以下の説明において、図面中の方向Ｘはシューズ１の幅方向を示し、方向Ｙは方向Ｘに直交するシューズ１の長手方向を示し、方向Ｚは方向Ｘ及びＹに直交するシューズ１の高さ方向を示す。
【００１３】
シューズ１の幅方向内方Ｘ１は、幅方向Ｘにおいて左右一対のシューズ１が互いに対向する方向である。シューズ１の幅方向外方Ｘ２は、幅方向内方Ｘ１の逆方向である。
【００１４】
シューズ１の長手方向前方Ｙ１は、シューズ１の爪先側を示す。シューズ１の長手方向後方Ｙ２は、シューズ１の踵側を示す。以後、長手方向前方Ｙ１は「前方Ｙ１」と呼び、長手方向後方Ｙ２は「後方Ｙ２」と呼ぶことがある。
【００１５】
さらに、図中には、シューズ１の高さ方向上方Ｚ１と、シューズ１の高さ方向下方Ｚ２と、が示される。以後、高さ方向上方Ｚ１は「上方Ｚ１」と呼び、高さ方向下方Ｚ２は「下方Ｚ２」と呼ぶことがある。
【００１６】
図１には、本考案の実施形態に係るシューズ１の外観が示されている。シューズ１は、アッパー３と、ソール４と、を備える。
【００１７】
（アッパー）
アッパー３は、足を覆って保護する。アッパー３の材料は、特に限定されず、天然皮革、合成皮革、人工皮革等の皮、天然繊維又は化学繊維を用いた布地、ゴム等が例示される。
【００１８】
アッパー３は、前方Ｙ１に位置する前方部３Ａと、後方Ｙ２に位置する後方部３Ｂと、を有する。前方部３Ａと後方部３Ｂとは、例えば縫い合わされることにより、連結される。
【００１９】
アッパー３は、足を収容するための内部空間３１を囲むように形成される。内部空間３１は、後方Ｙ２に位置して足を挿入するための後方側空間３１Ａと、後方側空間３１Ａの前方Ｙ１に位置する前方側空間３１Ｂとからなる。
【００２０】
後方側空間３１Ａと前方側空間３１Ｂとは、連続している。また、後方側空間３１Ａは、足を挿入するために上方Ｚ１が覆われていないが、前方側空間３１Ｂは、ベロ２と、ベロ２の上方に配置されるシューレース３３と、によって上方Ｚ１が覆われる。
【００２１】
ベロ２は、シューレース３３の高さ方向下方Ｚ２において前方側空間３１Ｂを覆い、主に足の甲に接触する部材である。
【００２２】
ベロ２は、アッパー３の前方部３Ａと連続的かつ一体的に形成されている。したがって、ベロ２の材料は、アッパー３と同一であり、天然皮革、合成皮革、人工皮革等の皮、天然繊維又は化学繊維を用いた布地、ゴム等が例示される。なお、ベロ２は、アッパー３と必ずしも一体的に形成されなくてもよく、アッパー３と別体に形成されてアッパー３に縫合等の手段で固定されてもよい。
【００２３】
（ソール）
ソール４は、インソール５と、アウトソール６と、を備える。なお、ソール４は、インソール５とアウトソール６との間にミッドソールを備えてもよい。ソール４は、接着等の手段によりアッパー３に固定される。
【００２４】
（インソール）
インソール５は、アウトソール６上に配置される。インソール５は、足底が触れる部材であるため、通気性、吸水性、クッション性等に優れる材料からなることが好ましい。
【００２５】
（アウトソール）
図１〜６に示されるように、アウトソール６は、前方Ｙ１側に配置され、爪先部を含む前部６１と、後方Ｙ２側に配置され、踵部を含む後部６３と、を有する。後部６３は、いわゆるヒールである。前部６１の後方Ｙ２側の端部は、下方Ｚ２に延びる段部６５を介して、後部６３の前方Ｙ１側の端部と接続する。
【００２６】
アウトソール６は、第一部材７と第二部材８とを含む。後に詳述するように、異なる部材である第一部材７及び第二部材８が互いに連結されることにより、アウトソール６は構成される。
【００２７】
第一部材７は、第二部材８よりも耐摩耗性が高い材料からなり、第二部材８は、第一部材７よりも軽量である材料からなる。例えば、第一部材７は、ラバーであり、第二部材８は、ＥＶＡ（エチレン酢酸ビニル共重合体）である。
【００２８】
図２（ａ）〜（ｃ）には、下方Ｚ２から見た第一部材７及び第二部材８の底面図が示されている。図２（ａ）には、第一部材７及び第二部材８が連結された状態が示され、図２（ｂ）には、第一部材７の底面７０が示され、図２（ｃ）には、第二部材８の底面８０が示される。図５には、下方Ｚ２から見たアウトソール６の斜視図が示されている。
【００２９】
図３（ａ）〜（ｃ）には、上方Ｚ１から見た第一部材７及び第二部材８の上面図が示されている。図３（ａ）には、第一部材７及び第二部材８が連結された状態が示され、図３（ｂ）には、第一部材７の上面７６が示され、図３（ｃ）には、第二部材８の上面８６が示される。図６には、上方Ｚ１から見たアウトソール６の斜視図が示されている。
【００３０】
図４には、幅方向Ｘから見たアウトソール６の側面図が示されている。
【００３１】
アウトソール６は、その接地面に第一部材７が配置されることにより耐摩耗性を向上しつつ、その全周に第二部材８が配置されることにより軽量性を向上している。ここで、「接地面」とは、シューズ１の通常の使用状態（使用者がシューズ１を着用している状態）において、アウトソール６の底面のうち地面に接触する面を意味する。したがって、「接地面」は、アウトソール６の底面の全体とは限らない。
【００３２】
以下、アウトソール６を構成する第一部材７及び第二部材８について、詳述する。
【００３３】
（第一部材）
第一部材７は、前方Ｙ１に配置され、爪先部を含む前部７１と、後方Ｙ２に配置され、踵部を含む後部７３と、を有する。前部７１及び後部７３は一体部材である。
【００３４】
図２（ｂ）に示されるように、第一部材７の底面７０は、前部７１の底面７１Ａと、後部７３の底面７３Ａと、を含む。前部７１の底面７１Ａの後方Ｙ２の端部は、下方Ｚ２に延びる段部７５を介して、後部７３の底面の前方Ｙ１の端部と接続する。したがって、前部７１の底面７１Ａの後方Ｙ２の端部よりも、後部７３の底面７３Ａの前方Ｙ１の端部の方が、下方Ｚ２に位置する。
【００３５】
前部７１の底面７１Ａは、着用者の足底の形状に沿うように、長手方向Ｙにおける略中央部が下方Ｚ２に膨らむ湾曲した形状に形成される。前部７１の底面７１Ａには、下方Ｚ２に突出する複数の突起部７２が形成される。本例では、六個の突起部７２が長手方向Ｙに並んで配置されており、長手方向Ｙにおいて隣り合う突起部７２の間には隙間が設けられる。複数の突起部７２の底面は、平面状に形成される。なお、突起部７２の個数や形状は、シューズ１の種類や用途等に基づき適宜変更される。
【００３６】
前部７１の底面７１Ａにおいて最も下方Ｚ２に突出する部分は複数の突起部７２であるので、シューズ１が地面に接地する際、これら複数の突起部７２が地面と接触する。すなわち、複数の突起部７２が、アウトソール６の接地面を構成する。
【００３７】
後部７３の底面７３Ａは、前部７１と段部７５を介して接続する内側部７７と、内側部７７を囲むように、内側部７７の幅方向内方Ｘ１、幅方向外方Ｘ２、及び後方Ｙ２に位置する外周部７８と、を含む。
【００３８】
内側部７７には、前部７１の底面７１Ａと同様に、下方Ｚ２に突出する複数の突起部７２が形成されている。本例では、三個の突起部７２が長手方向Ｙに並んで配置されており、長手方向Ｙにおいて隣り合う突起部７２の間には隙間が設けられる。複数の突起部７２の底面は、平面状に形成される。なお、突起部７２の個数や形状は、シューズ１の種類や用途等に基づき適宜変更される。
【００３９】
外周部７８は、平面状である。外周部７８の下方Ｚ２方向の高さは、内側部７７に形成された複数の突起部７２の下方Ｚ２方向の高さと略一致する。したがって、複数の突起部７２の底面と外周部７８とによって、平面が形成される。
【００４０】
後部７３の底面７３Ａにおいて最も下方Ｚ２に突出する部分は、複数の突起部７２と外周部７８であるので、シューズ１が地面に接地する際、これら複数の突起部７２と外周部７８とが地面と接触する。すなわち、複数の突起部７２と外周部７８とが、アウトソール６の接地面を構成する。
【００４１】
図３（ｂ）に示されるように、第一部材７の上面７６は、前部７１の上面７１Ｂと、後部７３の上面７３Ｂと、を含む。
【００４２】
前部７１の上面７１Ｂは、着用者の足底の形状に沿うように、長手方向Ｙにおける略中央部が下方Ｚ２に膨らむ湾曲した形状に形成される。
【００４３】
後部７３の上面７３Ｂは、内側に形成された溝部７９と、溝部７９の幅方向内方Ｘ１、幅方向外方Ｘ２、及び後方Ｙ２に位置する外周部７４と、を有する。溝部７９は、底面７３Ａの内側部７７（図２（ｂ）参照）に対応する位置（高さ方向Ｚから見て重なる位置）に設けられる。溝部７９は、前部７１の上面７１Ｂよりも下方Ｚ２に凹む凹溝であり、後述する第二部材８の凸部８７が嵌合可能である。そのため、溝部７９は、後述する第二部材８の凸部８７と略同一形状又は僅かに大きな相似形状となるように形成される。また、外周部７４は、略平面状である。
【００４４】
（第二部材）
第二部材８は、前方Ｙ１側に配置され、爪先部を含む前部８１と、後方Ｙ２側に配置され、踵部を含む後部８３と、を有する。前部８１及び後部８３は一体部材である。
【００４５】
図２（ｃ）に示されるように、第二部材８の底面８０は、前部８１の底面８１Ａと、後部８３の底面８３Ａと、を含む。
【００４６】
前部８１の底面８１Ａは、着用者の足底の形状に沿うように、長手方向Ｙにおける略中央部が下方Ｚ２に膨らむ湾曲した形状に形成される。
【００４７】
前部８１の底面８１Ａは、内側に形成される凹部８２と、凹部８２を囲むように、凹部８２の幅方向内方Ｘ１、幅方向外方Ｘ２、及び前方Ｙ１に位置する外周部８４と、を含む。
【００４８】
凹部８２は、第一部材７の前部７１の外形と略同一形状又は僅かに大きな相似形状となるように形成される。凹部８２は、上方Ｚ１に向かって凹む凹溝であり、第一部材７の前部７１が嵌合可能である。外周部８４は、略平面状に形成される。
【００４９】
後部８３の底面８３Ａは、内側に形成された凸部８７と、凸部８７を囲むように、凸部８７の幅方向内方Ｘ１、幅方向外方Ｘ２、及び後方Ｙ２に位置する外周部８８と、を含む。
【００５０】
凸部８７は、前部８１の凹部８２の溝底面８２Ａよりも、下方Ｚ２に突出する。また、凸部８７は、第一部材７の上面７３Ｂに設けられた溝部７９（図３（ｂ）参照）と略同一形状又は僅かに小さな相似形状となるように形成される。これにより、凸部８７は溝部７９に嵌合可能である。
【００５１】
外周部８８は、略平面状に形成される。なお、前部８１の底面８１Ａの外周部８４と、後部８３の底面８３Ａの外周部８８と、は滑らかに接続している。これら二つの外周部８４，８８によって、第二部材８の底面８０の外周部が構成される。
【００５２】
図３（ｃ）に示されるように、第二部材８の上面８６は、前部８１の上面８１Ｂと、後部８３の上面８３Ｂと、を含む。前部８１の上面８１Ｂは、着用者の足底の形状に沿うように、長手方向Ｙにおける略中央部が下方Ｚ２に膨らむ湾曲した形状に形成される。後部８３の上面８３Ｂは、略平面状に形成される。
【００５３】
（第一部材と第二部材の連結）
第一部材７と第二部材８とは、互いに嵌め合わされることにより、連結される。連結方法をより詳細に説明すると、先ず、第一部材７に対して上方Ｚに第二部材８を位置させ、これら第一部材７及び第二部材８を高さ方向Ｚに互いに接近させる。そうすると、第一部材７の上面７６と、第二部材８の底面８０と、が互いに接触する。
【００５４】
そして、第二部材８の前部８１の底面８１Ａの凹部８２と、第一部材７の前部７１と、が嵌合する。また、第一部材７の後部７３の上面７３Ｂの溝部７９と、第二部材８の後部８３の底面８３Ａの凸部８７と、が嵌合する。また、第一部材７の後部７３の上面７３Ｂの外周部７４と、第二部材８の後部８３の底面８３Ａの外周部８８と、が接触する。
【００５５】
このようにして、第一部材７と第二部材８とが連結され、アウトソール６が構成される。なお、第一部材７の上面７６と第二部材８の底面８０とが互いに嵌合又は接触し合う部分には、接着剤が配置されることで、連結力が高められる。
【００５６】
図３（ａ）、図４、図６に示されるように、第一部材７と第二部材８とが連結されて構成されたアウトソール６においては、第一部材７の上方Ｚ１が第二部材８によって覆われる。すなわち、アウトソール６の上面全体が、第二部材８の上面８６によって構成される。
【００５７】
そして、アウトソール６の前部６１の外周部及び後部６３の外周部に、連続的に第二部材８が配置されており、第二部材８がアウトソール６の外周を規定している。したがって、アウトソール６の全周に第二部材８が配置される。アウトソール６の全周という広い範囲に第二部材８が配置されるので、アウトソール６の軽量性が高められる。また、アウトソール６の全周に第二部材８が配置されるので、重量バランスが良好である。
【００５８】
また、第一部材７の上方Ｚ１が第二部材８によって覆われているので、軽量な第二部材８がアウトソール６の広い範囲に配置され、軽量性が向上する。さらに、第二部材８は軽量であるが第一部材７に比べて耐摩耗性が低いため、第二部材８が地面から遠くに配置されて地面に接触しにくい本実施形態の構成は好ましい。
【００５９】
一方、図２（ａ）、図４、図５に示されるように、アウトソール６の底面は、第一部材７の底面７０と、第二部材８の底面８０の一部と、によって構成される。より詳細には、アウトソール６の底面は、第一部材７の前部７１の底面７１Ａと、第二部材８の前部８１の底面８１Ａの外周部８４と、第一部材７の後部７３の底面７３Ａと、によって構成される
【００６０】
ここで、アウトソール６の前部６１において、第一部材７の複数の突起部７２は、第二部材８の外周部８４よりも、下方Ｚ２に突出している。したがって、第一部材７の突起部７２は、地面に接触する接地面を構成する。一方、第二部材８の外周部８４は、接地面を構成しない。
【００６１】
また、アウトソール６の後部６３においては、第一部材７の外周部７８及び複数の突起部７２の高さ方向Ｚにおける高さが略等しく形成されているので、これら、外周部７８及び複数の突起部７２が接地面を構成する。
【００６２】
このように、アウトソール６の接地面には、耐摩耗性が高い第一部材７が配置される。一方、耐摩耗性が比較的低い第二部材８は、アウトソール６の接地面には配置されず、アウトソール６の全周に配置され、通常の使用状態では地面に接触しない。したがって、シューズ１の靴底が擦り減ること、特に、耐摩耗性が比較的低い第二部材８が擦り減ることを効果的に抑制できる。
【００６３】
また、本実施形態においては、アウトソール６の前部６１の底面には、外周部に第二部材８の外周部８４が配置され、第二部材８の外周部８４に囲まれた内側部に第一部材７が配置される。第一部材７の突起部７２は、第二部材８よりも下方Ｚ２に突出することにより、地面と接触する接地面を構成する。したがって、アウトソール６の前部６１の底面において、耐摩耗性が高い第一部材７によって、接地面を構成することができる。また、軽量の第二部材８は、アウトソール６の前部６１の外周部という広い範囲に配置されるので、軽量性が向上される。
【００６４】
また、アウトソール６の後部６３の外周部は、上部（上方Ｚ１）に第二部材８が配置され、下部（下方Ｚ２）に第一部材７が配置される、二層構造である。さらに、アウトソール６の後部６３の底面の全体に、第一部材７が配置される。したがって、アウトソール６の後部６３の底面において、耐摩耗性が高い第一部材７によって、接地面を構成することができる。また、軽量であるが耐摩耗性が比較的低い第二部材８は、下方Ｚ２の耐摩耗性の高い第一部材７に覆われて地面と接することがないので、軽量性と耐摩耗性とを両立させることできる。
【００６５】
また、耐摩耗性に優れる材料は、一般にクッション性が劣るところ、本実施形態においては、アウトソール６の足裏と対向する面が全て第二部材８によって覆われているので、クッション性に優れた良好な履き心地を実現することができる。
【００６６】
（第二実施形態）
次に、第二実施形態に係るアウトソール６について、図７（ａ）〜図９を参照して説明する。
【００６７】
第二実施形態のアウトソール６の前部６１の構成は、第一実施形態のアウトソール６の前部６１の構成と略同一であるので、図面に同じ符号を付すことでその説明を省略する。
【００６８】
第一実施形態においては、アウトソール６の後部６３の外周部が、第一部材７及び第二部材８からなる二層構造であったが、第二実施形態においては、アウトソール６の後部６３の外周部には、第一部材７が配置されず、第二部材８のみが配置される。また、アウトソール６の後部の底面には、第二部材８に囲まれた内側部に、第一部材７が配置される。そして、第一部材７が第二部材８よりも突出することにより接地面を構成する。この第二実施形態のアウトソール６は、以下に説明する第一部材７及び第二部材８が連結されることにより構成される。
【００６９】
図７（ｂ）に示されるように、第一部材７の後部７３の底面７３Ａは、内側部７７と、複数の突起部７２と、を含む。すなわち、第一部材７の後部７３の底面７３Ａは、第一実施形態の底面７３Ａ（図２（ｂ）参照）から外周部７８が取り除かれた構成とされる。
【００７０】
図８（ｂ）に示されるように、第一部材７の後部７３の上面７３Ｂは、前部７１の上面７１Ｂよりも下方Ｚ２に凹む溝部７９を含む。溝部７９は、後述する第二部材８の凸部８７と略同一形状又は僅かに大きな相似形状となるように形成される。すなわち、第一部材７の後部７３の上面７３Ｂは、第一実施形態の上面７３Ｂ（図３（ｂ）参照）から外周部７４と溝部７９の後方Ｚ２の一部とが取り除かれた構成とされる。
【００７１】
このように、本実施形態の第一部材７の後部７３は、第一実施形態の第一部材７の後部７３から外周部と後方Ｚ２の一部が除かれた構成とされる。
【００７２】
図７（ｃ）に示されるように、第二部材８の後部８３の底面８３Ａは、内側に形成された凸部８７と、凸部８７を囲むように、凸部８７の幅方向内方Ｘ１、幅方向外方Ｘ２、及び後方Ｙ２に位置する外周部８８と、を含む。
【００７３】
なお、第一実施形態との対応関係を分かりやすくするため、符号８７で示された部分を第一実施形態に合わせて「凸部８７」と記載したが、凸部８７の下方Ｚ２方向の高さは、溝底面８２Ａよりも高いが、外周部８８よりも低くなっている（外周部８８を基準にすれば、凸部８７は凹部となっている）。
【００７４】
ここで、第二部材８の後部８３の底面８３Ａの外周部８８（図９参照）の高さ方向Ｚにおける位置が、第一実施形態の外周部８８（図４参照）よりも下方Ｚ２とされる。すなわち、本実施形態では、外周部８８の下方Ｚ２に、第一部材７が配置されないため、その分、外周部８８が下方Ｚ２まで延ばされている。
【００７５】
したがって、後部８３の底面８３Ａの外周部８８は、前部８１の底面８１Ａの外周部８４よりも下方Ｚ２に位置し、前部８１の底面８１Ａの外周部８４と段部８９を介して接続している。
【００７６】
図８（ｃ）に示されるように、第二部材８の後部８３の上面８３Ｂは、略平面状に形成される。
【００７７】
このように、本実施形態では第一実施形態と比べて、第一部材７の後部７３において外周部が取り除かれる一方で、第二部材８の後部の外周部が下方Ｚ２に向かって肉厚とされる。
【００７８】
第一部材７と第二部材８とが連結される際には、先ず、第一部材７に対して上方Ｚに第二部材８を位置させ、これら第一部材７及び第二部材８を高さ方向Ｚに互いに接近させる。そうすると、第一部材７の上面７６と、第二部材８の底面８０と、が互いに接触する。
【００７９】
そして、第二部材８の前部８１の底面８１Ａの凹部８２と、第一部材７の前部７１と、が嵌合する。また、第一部材７の後部７３の上面７３Ｂの溝部７９と、第二部材８の後部８３の上面８３Ｂの凸部８７と、が嵌合する。
【００８０】
このようにして、第一部材７と第二部材８とが連結され、アウトソール６が構成される。なお、第一部材７の上面７６と第二部材８の底面８０とが互いに嵌合又は接触し合う部分には、接着剤が配置されることで、連結力が高められる。
【００８１】
このように構成されたアウトソール６の前部の構成は、上述の通り、第一実施形態と同一である。すなわち、アウトソール６の前部６１の底面において、第一部材７の複数の突起部７２は、第二部材８の外周部８４よりも、下方Ｚ２に突出している。したがって、図９に示されるように、第一部材７の突起部７２は、地面に接触する接地面を構成する。一方、第二部材８の外周部８４は、接地面を構成しない。
【００８２】
一方、アウトソール６の後部６３の底面においては、第一部材７の内側部７７に形成された複数の突起部７２が、第二部材８の外周部８８よりも下方Ｚ２に突出するように形成される（図９参照）。したがって、第一部材７の突起部７２は、地面に接触する接地面を構成する。一方、第二部材８の外周部８８は、接地面を構成しない。
【００８３】
このように、アウトソール６の後部６３の外周部には、第二部材８が配置され、アウトソール６の後部６３の底面には、第二部材８に囲まれた内側部に、第一部材７が配置される。そして、第一部材７の複数の突起部７２が第二部材８の外周部８８よりも突出することにより接地面を構成する。
【００８４】
したがって、本実施形態のアウトソール６によれば、接地面には、第二部材８が配置されず、第一部材７が配置されるので、耐摩耗性が確保できる。さらに、本実施形態のアウトソール６によれば、アウトソール６の後部６３の外周部には、第一部材７が配置されず第二部材８が配置されるので、第一実施形態に比べて、アウトソール６中で第二部材８が占める体積が大きくなり、さらなる軽量化が可能である。
【符号の説明】
【００８５】
１  シューズ
２  ベロ
３  アッパー
３Ａ  前方部
３Ｂ  後方部
３１  内部空間
３１Ａ  後方側空間
３１Ｂ  前方側空間
３３  シューレース
４  ソール
５  インソール
６  アウトソール
６１  前部
６３  後部
６５  段部
７  第一部材
７０  底面
７１  前部
７１Ａ  底面
７１Ｂ  上面
７２  突起部
７３  後部
７３Ａ  底面
７３Ｂ  上面
７４  外周部
７５  段部
７６  上面
７７  内側部
７８  外周部
７９  溝部
８  第二部材
８０  底面
８１  前部
８１Ａ  底面
８１Ｂ  上面
８２  凹部
８２Ａ  溝底面
８３  後部
８３Ａ  底面
８３Ｂ  上面
８４  外周部
８６  上面
８７  凸部
８８  外周部
８９  段部
【図１】
0003229046.tif 000003
【図２】
0003229046.tif 000004
【図３】
0003229046.tif 000005
【図４】
0003229046.tif 000006
【図５】
0003229046.tif 000007
【図６】
0003229046.tif 000008
【図７】
0003229046.tif 000009
【図８】
0003229046.tif 000010
【図９】
0003229046.tif 000011